(57)【要約】【解決手段】箱型に組み立てられた折り畳みコンテナーＣ内に配置される中仕切り部材Ｐの折り畳み側板ｐ２が、側壁２、３を倒すことにより折り畳まれるように構成した折り畳みコンテナーに関するものである。【効果】箱型に組み立てられた折り畳みコンテナーＣ内に配置される中仕切り部材Ｐの折り畳み側板ｐ２が、側壁２、３を倒すことにより折り畳まれるように構成したので、中仕切り部材を、箱型に組み立てられた折り畳みコンテナーから取り出すことなく、箱型に組み立てられた折り畳みコンテナーを折り畳むことができる。【選択図】図１
2004131093.tif 000002
【特許請求の範囲】
【請求項１】
底部の一方の相対する辺にヒンジ連結された一方の相対する側壁と、底部のもう一方の相対する辺にヒンジ連結されたもう一方の相対する側壁とを有し、箱型に組み立てられた状態から、一方の相対する側壁を底部に重なるように倒し、次いで、もう一方の相対する側壁を、底部に重ねられている一方の相対する側壁に重なるように倒すことにより折り畳むことが可能な折り畳みコンテナーにおいて、箱型に組み立てられた折り畳みコンテナー内に配置される中仕切り部材の折り畳み側板が、前記側壁を倒すことにより折り畳まれることを特徴とする折り畳みコンテナー。
【請求項２】
箱型に組み立てられた折り畳みコンテナー内に配置される中仕切り部材の折り畳み側板が、箱型に組み立てられた状態から先に倒される側壁側に配置されていることを特徴とする請求項１に記載の折り畳みコンテナー。
【請求項３】
箱型に組み立てられた状態から最初に倒される側壁が、折り畳まれた中仕切り部材に当接しないように、最初に倒される側壁が当接する停止リブを、後から倒される側壁がヒンジ連結されている底部の内壁面に突設したことを特徴とする請求項１又は請求項２に記載の折り畳みコンテナー。
【発明の詳細な説明】
【０００１】
【発明の属する技術分野】
本発明は、底部の一方の相対する辺にヒンジ連結された一方の相対する側壁と、底部のもう一方の相対する辺にヒンジ連結されたもう一方の相対する側壁とを有し、箱型に組み立てられた状態から、一方の相対する側壁を底部に重なるように倒し、次いで、もう一方の相対する側壁を、底部に重ねられている一方の相対する側壁に重なるように倒すことにより折り畳むことが可能な折り畳みコンテナーに関するものであり、特に、中仕切り部材が配設可能な折り畳みコンテナーに関するものである。
【０００２】
【従来の技術】
従来、上部枠と、底部と、相対するはね上げ側壁（上部枠にヒンジ連結されており、ヒンジ連結部を中心に、略垂直状態から、略水平状態まで回動可能な側壁）と、相対する分割側壁（上部分割壁と下部分割壁とから構成されており、上部分割壁の下辺部と下部分割壁の上辺部とは、互いにヒンジ連結されているとともに、上部分割壁の上辺部は、上部枠にヒンジ連結されており、また、下部分割壁の下辺部は、底部にヒンジ連結されている。）とから構成されている折り畳みコンテナー（以下、このような折り畳みコンテナーを、分割側壁式折り畳みコンテナーという。）において、交差する仕切り板からなる中仕切り部材を配設したものが知られている（実開平２−３１８２９号公報、実公平５−１８２６２号公報等）。
【０００３】
【発明が解決しようとする課題】
上述した交差する仕切り板からなる中仕切り部材が配設された分割側壁式折り畳みコンテナーを、折り畳む際には、中仕切り部材を取り出して、交差する仕切り板が重合するように折り畳み、折り畳まれた中仕切り部材を、底部に収容したり、或いは、別途、別の場所に収容し、その後、箱型に組み立てられた折り畳みコンテナーを、はね上げ側壁を上方に回動するとともに、分割側壁を構成する上部分割壁と下部分割壁とを重ね合わせるようにして折り畳んでいた。中仕切り部材の折り畳みコンテナーから取り出し作業や中仕切り部材の折り畳み作業に時間や労力を要し、従って、折り畳みコンテナーの折り畳み作業の作業性が悪いという問題があった。
【０００４】
また、底部にヒンジ連結された一方の相対する側壁と、同じく、底部にヒンジ連結されたもう一方の相対する側壁からなり、一方の相対する側壁を底部に重なるように倒し、次いで、もう一方の相対する側壁を、底部に重ねられている一方の相対する側壁に重なるように倒すことにより折り畳むように構成した折り畳みコンテナーに配設された中仕切り部材を、折り畳みコンテナー内に配設したままの状態で、効率的に、且つ、迅速に、折り畳むようようにした折り畳みコンテナーは知られていない。
【０００５】
本発明の目的は、上述した従来の折り畳みコンテナーが有する課題を解決することにある。
【０００６】
【課題を解決するための手段】
本発明は、上述した目的を達成するために、底部の一方の相対する辺にヒンジ連結された一方の相対する側壁と、底部のもう一方の相対する辺にヒンジ連結されたもう一方の相対する側壁とを有し、箱型に組み立てられた状態から、一方の相対する側壁を底部に重なるように倒し、次いで、もう一方の相対する側壁を、底部に重ねられている一方の相対する側壁に重なるように倒すことにより折り畳むことが可能な折り畳みコンテナーにおいて、第１には、箱型に組み立てられた折り畳みコンテナー内に配置される中仕切り部材の折り畳み側板が、前記側壁を倒すことにより折り畳まれるように構成したものであり、第２には、箱型に組み立てられた折り畳みコンテナー内に配置される中仕切り部材の折り畳み側板を、箱型に組み立てられた状態から先に倒される側壁側に位置したものであり、第３には、箱型に組み立てられた状態から最初に倒される側壁が、折り畳まれた中仕切り部材に当接しないように、最初に倒される側壁が当接する停止リブを、後から倒される側壁がヒンジ連結されている底部の内壁面に突設したものである。
【０００７】
【実施例】
以下に、本発明の実施例について説明するが、本発明の趣旨を越えない限り何ら、本実施例に限定されるものではない。
【０００８】
Ｃは、折り畳みコンテナーであり、折り畳みコンテナーＣは、平面形状が略長方形状の底部１と、底部１の相対する長辺側土手部１ａにヒンジ連結された長側壁と、底部１の相対する短辺側土手部１ｂにヒンジ連結された短側壁３とを有しており、底部１の長辺側土手部１ａは、短辺側土手部１ｂより、その高さが低く形成されている。
【０００９】
図１に示されているように、箱型に組み立てられた折り畳みコンテナーＣを、折り畳むには、略垂直状態の長側壁２を、図２に示されているように、略水平状態に倒し、次いで、略垂直状態の短側壁３を、先に倒された長側壁２に重なるように略水平状態に倒すことにより、図３に示されているように、高さの低いコンパクトな状態に折り畳むことができるように構成されている。また、図３に示されている折り畳まれた状態から、先ず最初に、図２に示されているように、略水平状態の短側壁３を、略垂直に立て、次いで、略水平状態の長側壁２を、略垂直に立てることにより、図１に示されているように、箱型に組み立てることができるように構成されている。
【００１０】
Ｐは、折り畳みコンテナーＣ内に収容可能な中仕切り部材であり、中仕切り部材Ｐは、底部１の平面形状と略同じ大きさの長方形状の薄板状の水平板ｐ１と、水平板ｐ１の長辺に沿って、水平板ｐ１に対して垂直に上方に延在する薄板状の折り畳み側板ｐ２とからなる、略Ｕ字状の基部Ｐ’を有しており、水平板ｐ１の長辺に連接された相対する折り畳み側板ｐ２は、水平板ｐ１と折り畳み側板ｐ２との連接部ｐ３において、水平板ｐ１に対して回動することができるように構成されている。一例として、水平板ｐ１と折り畳み側板ｐ２との連接部ｐ３に、薄肉部やミシン目等を形成することにより、折り畳み側板ｐ２が、水平板ｐ１と折り畳み側板ｐ２との連接部ｐ３において、水平板ｐ１に対して回動するように構成することができる。
【００１１】
ｐ４は、相対する折り畳み側板ｐ２間の中央部に位置する水平板ｐ１に、折り畳み側板ｐ２に略平行に取着された、略角柱状の中央仕切りブロックであり、ｐ５は、折り畳み側板ｐ２の水平板ｐ１側の上部領域に取着された、略角柱状の側部仕切りブロックである。側部仕切りブロックｐ５の中央仕切りブロックｐ４側の下部角部には、必要に応じて、下部角部を切り欠くことにより傾斜面ｐ５ａが形成されている。
【００１２】
中仕切り部材Ｐを構成する水平板ｐ１に取着された中央仕切りブロックｐ４及び相対する折り畳み側板ｐ２に取着された側部仕切りブロックｐ５には、中仕切り部材Ｐにより保持される物品に応じて、それぞれ、所定形状の凹部ｐ４ａ、ｐ５ｂが形成されている。
【００１３】
上述した構成を有する中仕切り部材Ｐの折り畳み側板ｐ２が略垂直に立てられた状態の高さＨ１は、中仕切り部材Ｐが、箱型に組み立てられた折り畳みコンテナーＣ内に配置された際に、底部１の高さの低い長辺側土手部１ａの内寸高さ（底部１の上面から長辺側土手部１ａの上面までの高さ）Ｈ２より高く形成されている。
【００１４】
図１及び図４〜図７に示されている実施例には、自動車等のステアリングホイール（以下、単に、ハンドルという。）Ｓが保持される例が示されている。ハンドルＳの下端部ｓ１を保持するために、中央仕切りブロックｐ４には、ハンドルＳの下端部ｓ１が挿入可能な上方及び左右が開放された凹部ｐ４ａが形成されており、また、ハンドルＳの側部ｓ２を保持するために、側部仕切りブロックｐ５には、ハンドルＳの側部ｓ２が挿入可能な上方及び中央仕切りブロックｐ４側が開放された凹部ｐ５ｂが形成されている。
【００１５】
上述したような構成を有する折り畳みコンテナーＣを、箱型に組み立てた後、上述したような構成を有する中仕切り部材Ｐを、水平板ｐ１に対して折り畳み側板ｐ２が垂直になるとともに、箱型に組み立てられた折り畳みコンテナーＣの折り畳み作業の際に、先に倒される長側壁２側に、折り畳み側板ｐ２が位置するように、箱型に組み立てられた折り畳みコンテナーＣ内に配置されることになる。その後、物品の一例としてのハンドルＳを、その下端部ｓ１が、中央仕切りブロックｐ４の凹部ｐ４ａに挿入され、ハンドルＳの側部ｓ２が、側部仕切りブロックｐ５の凹部ｐ５ｂに挿入されるように保持する。このようにして、箱型に組み立てられた折り畳みコンテナーＣに配置された中仕切り部材Ｐにより、所定数のハンドルＳを保持する。
【００１６】
上述したようにして、物品の一例としてのハンドルＳが保持された中仕切り部材Ｐが収容された折り畳みコンテナーＣを、所定の搬送先に搬送した後、折り畳みコンテナーＣからハンドルＳを取り出すことになる。その後、全てのハンドルＳが取り出された後に、箱型に組み立てられた折り畳みコンテナーＣを、上述したように折り畳むことになる。本実施例においては、折り畳み作業の際には、先ず最初に、長側壁２を倒すことになるが、中仕切り部材Ｐは、先に倒される長側壁２側に、連接部ｐ３を介して水平板ｐ１に対して折り畳み可能な折り畳み側板ｐ２が位置するように配置されているとともに、略垂直に立てられた状態の折り畳み側板ｐ２の高さＨ１が、底部１の高さの低い長辺側土手部１ａの内寸高さ（底部１の上面から長辺側土手部１ａの上面までの高さ）Ｈ２より高く形成されているので、長側壁２を、底部１方向に倒すことにより、折り畳み側板ｐ２も、水平板ｐ１方向に倒れるので、中仕切り部材Ｐを、箱型に組み立てられた折り畳みコンテナーＣから取り出す必要がなく、単に、長側壁２を、底部１方向に倒すことにより、中仕切り部材Ｐも折り畳むことができるので、従って、折り畳みコンテナーＣの折り畳み作業の作業性が向上するとともに、中仕切り部材Ｐの収容場所の必要性もない。なお、折り畳まれた中仕切り部材Ｐの高さＨ３は、底部１の高さの低い長辺側土手部１ａの内寸高さ（底部１の上面から長辺側土手部１ａの上面までの高さ）Ｈ２以下に形成されている。
【００１７】
また、上述したように、中仕切り部材Ｐの側部仕切りブロックｐ５の中央仕切りブロックｐ４側の下部角部に、傾斜面ｐ５ａを形成することにより、折り畳み側板ｐ２が、図６及び図７に示されているように、水平板ｐ１方向に倒された際に、折り畳まれた中仕切り部材Ｐの高さＨ３を低くすることができるので、従って、折り畳みコンテナーＣの底部１の短辺側土手部１ｂに比べ高さの低い長辺側土手部１ａの高さを低くすることができ、箱型に組み立てられた折り畳みコンテナーＣの高さ及び折り畳まれた状態の折り畳みコンテナーＣの高さを低くすることができる。よって、箱型に組み立てられた折り畳みコンテナーＣ及び折り畳まれた状態の折り畳みコンテナーＣの収容スペースが低減できる。
【００１８】
図８には、中仕切り部材Ｐの他の実施例が示されている。この実施例の中仕切り部材Ｐは、瓶Ｂを保持するためのものであり、中央仕切りブロックｐ４の両側壁面には、縦方向に延在する、瓶Ｂの胴部ｂ１の曲率半径と略同じ曲率半径を有する凹部ｐ４ｂが形成されており、また、側部仕切りブロックｐ５の中央仕切りブロックｐ４側の壁面にも、上記の中央仕切りブロックｐ４に形成された凹部ｐ４ｂに対向するように、瓶Ｂの胴部ｂ１の曲率半径と略同じ曲率半径を有する凹部ｐ５ｃが形成されている。このような中仕切り部材Ｐの箱型に組み立てられた折り畳みコンテナーＣへの配置手段や瓶Ｂが排出された後の折り畳みコンテナーＣの折り畳み手段については、上述した実施例と同様であるので、その詳細な説明は省略する。
【００１９】
図９及び図１０に示されている実施例は、底部１の相対する短辺側土手部１ｂの内壁面１ｂ１に、所定の間隔をおいて、一対の突条の停止リブ１ｂ２を突設したものである。停止リブ１ｂ２の頂部１ｂ２’は、折り畳まれた中仕切り部材Ｐの高さＨ３より、若干、高く構成されている。箱型に組み立てられた折り畳みコンテナーＣの折り畳み作業の際に、最初に倒される長側壁２が、この停止リブ１ｂ２の頂部１ｂ２’に当接し、倒された長側壁２が、折り畳まれた中仕切り部材Ｐに衝突しないように構成されている。このように構成することにより、箱型に組み立てられた折り畳みコンテナーＣの折り畳み作業の際に、中仕切り部材Ｐと長側壁２とが激しく衝突し、中仕切り部材Ｐや長側壁２が損傷しないように構成されている。
【００２０】
また、上述したように、箱型に組み立てられた折り畳みコンテナーＣを、折り畳む際には、先ず最初に、一対の相対する長側壁２が、底部１方向に倒されることになるが、図７及び図１０に示されているように、長側壁２の外壁面２ａ（外壁面２ａに、垂直リブ２ｂや水平リブ２ｃが形成されている場合には、垂直リブ２ｂや水平リブ２ｃの先端により形成される仮想外壁面を含む。）には、所定の高さに亘たって、長側壁２の幅方向に延在する凹部領域２ｄが形成されている。長側壁２に、このような凹部領域２ｄを形成するとともに、上に位置する長側壁２の先端内側角部２ｅが、下に位置する長側壁２の外壁面２ａに形成された凹部領域２ｄに載置されるように構成することにより、上に位置する長側壁２と下に位置する長側壁２との重合高さ（上に位置する長側壁２の先端外側角部２ｆと下に位置する長側壁２の先端内側角部２ｅとの垂直方向の高さ）を低くすることができ、従って、折り畳まれた状態の折り畳みコンテナーＣの高さを、より低くすることができる。
【００２１】
上述したように、箱型に組み立てられた折り畳みコンテナーＣ内に配置される中仕切り部材Ｐの折り畳み側板ｐ２が、箱型に組み立てられた状態から先に倒される長側壁２側に位置しているので、中仕切り部材Ｐが、最初に倒される長側壁２の底部１方向への回動の邪魔になるようなことがなく、従って、中仕切り部材Ｐを、箱型に組み立てられた折り畳みコンテナーＣから取り出すことなく、箱型に組み立てられた折り畳みコンテナーＣを折り畳むことができる。
【００２２】
箱型に組み立てられた折り畳みコンテナーＣを折り畳む際に、後から倒される短側壁３がヒンジ連結されている底部１の短辺側土手部１ｂの内壁面１ｂ１に、最初に倒される長側壁２が、折り畳まれた中仕切り部材Ｐに当接しないように、最初に倒される長側壁２が当接する停止リブ１ｂ２を突設したので、箱型に組み立てられた折り畳みコンテナーＣの折り畳み作業の際に、中仕切り部材Ｐと長側壁２とが衝突し、中仕切り部材Ｐや長側壁２が損傷するようなことを防止することができる。
【００２３】
【発明の効果】
本発明は、以上説明した構成を有しているので、以下に記載する効果を奏するものである。
【００２４】
箱型に組み立てられた折り畳みコンテナー内に配置される中仕切り部材の折り畳み側板が、側壁を倒すことにより折り畳まれるように構成したので、中仕切り部材を箱型に組み立てられた折り畳みコンテナーから取り出すことなく、箱型に組み立てられた折り畳みコンテナーを折り畳むことができる。
【００２５】
箱型に組み立てられた折り畳みコンテナー内に配置される中仕切り部材の折り畳み側板が、箱型に組み立てられた状態から先に倒される側壁側に位置しているので、中仕切り部材を箱型に組み立てられた折り畳みコンテナーから取り出すことなく、箱型に組み立てられた折り畳みコンテナーを折り畳むことができる。
【００２６】
箱型に組み立てられた状態から最初に倒される側壁が、折り畳まれた中仕切り部材に当接しないように、最初に倒される側壁が当接する停止リブを、後から倒される側壁がヒンジ連結されている底部の内壁面に突設したので、箱型に組み立てられた折り畳みコンテナーの折り畳み作業の際に、中仕切り部材と最初に倒される側壁とが衝突し、中仕切り部材や最初に倒される側壁が損傷するようなことを防止することができる。
【図面の簡単な説明】
【図１】図１は本発明の折り畳みコンテナー及び中仕切り部材の斜視図である。
【図２】図２は本発明の折り畳みコンテナーの折り畳み或いは組み立て途中の斜視図である。
【図３】図３は本発明の折り畳みコンテナーが折り畳まれた状態の斜視図である。
【図４】図４は本発明の折り畳みコンテナーが箱型に組み立てられた状態の斜視図である。
【図５】図５は本発明の折り畳みコンテナーに配置される中仕切り部材の斜視図である。
【図６】図６は本発明の折り畳みコンテナーに配置される中仕切り部材が折り畳まれた状態の斜視図である。
【図７】図７は本発明の中仕切り部材が配置され折り畳まれた状態の折り畳みコンテナーの垂直断面図である。
【図８】図８は本発明の折り畳みコンテナーに配置される別の実施例の中仕切り部材の斜視図である。
【図９】図９は本発明の別の実施例の折り畳みコンテナーが箱型に組み立てられた状態の斜視図である。
【図１０】図１０は図９に示されている中仕切り部材が配置され折り畳まれた状態の折り畳みコンテナーの垂直断面図である。
【符号の説明】
Ｃ・・・・・・・・・・・・・・折り畳みコンテナー
Ｐ・・・・・・・・・・・・・・中仕切り部材
ｐ１・・・・・・・・・・・・・水平板
ｐ２・・・・・・・・・・・・・折り畳み側板
１・・・・・・・・・・・・・・底部
２・・・・・・・・・・・・・・長側壁
３・・・・・・・・・・・・・・短側壁
【図１】
2004131093.tif 000003
【図２】
2004131093.tif 000004
【図３】
2004131093.tif 000005
【図４】
2004131093.tif 000006
【図５】
2004131093.tif 000007
【図６】
2004131093.tif 000008
【図７】
2004131093.tif 000009
【図８】
2004131093.tif 000010
【図９】
2004131093.tif 000011
【図１０】
2004131093.tif 000012